(57)【要約】【課題】並列に配設されている複数の各記録ユニットの位置までの被記録材の搬送経路の長さの違いの影響を受けず、各記録ユニットへ被記録材を迅速に供給可能な記録装置を提供する。【解決手段】複数の記録ユニット3に被記録材を個別に搬送する複数の個別搬送経路13と、前記複数の個別搬送経路に複数の個別搬入経路23によって接続され、前記各個別搬入経路を介して前記各個別搬送経路に供給する単一の共通供給経路11と、前記各個別搬入経路と前記共通供給経路との接続部位に設けられる分岐フラッパー25と、前記各個別搬入経路の最上流位置と前記記録ユニットとの間の搬送経路上に設けられ、被記録材を搬送可能に待機させておける上流側待機領域部45とを備えている。【選択図】図３
2011032065.tif 000002
【特許請求の範囲】
【請求項１】
被記録材への記録の実行が可能で、並列に配設されている複数の記録ユニットと、
前記複数の記録ユニットに被記録材を個別に搬送する複数の個別搬送経路と、
前記複数の個別搬送経路に複数の個別搬入経路によって接続され、供給元から送られる被記録材を搬送し且つ前記各個別搬入経路を介して前記各個別搬送経路に供給する単一の共通供給経路と、
前記各個別搬入経路と前記共通供給経路との接続部位に設けられ、被記録材の搬送方向を当該個別搬入経路側と、前記共通供給経路の下流側とに切り替える分岐フラッパーと、
前記各個別搬入経路の最上流位置と前記記録ユニットとの間の搬送経路上に設けられ、被記録材を搬送可能に待機させておける上流側待機領域部と、を備えていることを特徴とする記録装置。
【請求項２】
請求項１に記載の記録装置において、前記各上流側待機領域部は、
被記録材を支持する支持部材と、
当該支持部材上の被記録材を前記記録ユニット側に送る送り機構と、を備えていることを特徴とする記録装置。
【請求項３】
請求項２に記載の記録装置において、
前記送り機構は、前記上流側待機領域部に供給された被記録材に当接するニップ位置と、当該被記録材から離反するレリース位置とを切り替えるピックローラーを有し、
該ピックローラーは、少なくとも下流の記録ユニットで被記録材に記録が開始され、該被記録材の搬送方向の後端が当該ピックローラーを通過するまでの間は、前記レリース位置に位置するように設定されていることを特徴とする記録装置。
【請求項４】
請求項３に記載の記録装置において、
前記ピックローラーの回転と、ピックローラーのニップ位置とレリース位置の切り替えと、前記分岐フラッパーによる被記録材の搬送方向の切り替えは、正逆転可能な単一の駆動モーターを駆動源とするカム機構によって実行される構成であることを特徴とする記録装置。
【請求項５】
請求項４に記載の記録装置において、前記カム機構は、
前記ピックローラーのニップ位置とレリース位置とを切り替えるピックローラー動作カムと、
前記分岐フラッパーを回動させて被記録材の供給経路を切り替える分岐フラッパー動作カムと、
前記ピックローラー動作カムと前記分岐フラッパー動作カムとを一体に備えるカム軸と、
前記駆動モーターの動力を前記カム軸に伝達する接続状態と、前記カム軸に伝達しない非接続状態とを切り替えるワンウェイクラッチと、を備えていることを特徴とする記録装置。
【請求項６】
請求項５に記載の記録装置において、
前記ピックローラーのニップ位置とレリース位置との切替え動作と、前記分岐フラッパーの回動による被記録材の供給経路の切替え動作は、前記駆動モーターを第１の方向に回転させた時に実行され、
前記ピックローラーの回転動作は、前記駆動モーターを第２の方向に回転させた時に実行されるように構成されていることを特徴とする記録装置。
【発明の詳細な説明】
【技術分野】
【０００１】
本発明は、複数の記録ユニットが並列に配設され、供給元から共通供給経路を通って送られる被記録材を分岐して搬送し、前記各記録ユニットで記録を実行する構成の記録装置に関する。
【背景技術】
【０００２】
記録実行時間の短縮を図るために、すなわち記録実行速度の高速化を実現するために、単一の記録装置において、その動作速度自体を速くすることが行われる。具体的には、個々の記録装置における記録ヘッドの動作周波数を高めたり、記録ヘッドの大型化を図り、一度の稼動による記録幅を増大させることが行われている。
【０００３】
しかし、前記記録ヘッドの動作周波数を高めたり、記録ヘッドを大型化することによって個々の記録装置の動作速度自体を速くするという構成を採用すると、記録ヘッドが複雑になり、記録ヘッドが大型化するという問題が発生する。また、用紙の搬送速度やキャリッジ等の稼動速度の高速化を図ることも可能であるが、モーター等の駆動装置の性能向上が不可欠である。
【０００４】
そこで、個々の記録装置の動作速度を高速化することなく、既存の記録装置をそのまま使用して記録実行速度の高速化を達成する観点から、下記の特許文献１（特開２００２−１０３７４９号公報）及び特許文献２（特開平８−２１１６７３号公報）に記載されているように、単一の筺体内に複数の記録ユニットを設置面に垂直な縦方向に多段状に配設した、インクジェット式記録装置等の記録装置が提供されている。そして、このような記録装置の場合には、複数の記録ユニットを同時並行して動作させることによって複数頁に渡る記録を短時間で実行できるようになっている。
【０００５】
ここで、特許文献１の記録装置は、１つの供給ユニットから送り出された用紙が単一の共通供給経路を通って、各記録ユニットに直接、供給されるという構造である。また、特許文献２の記録装置は、各記録ユニットが専用の給紙カセットを個別に備えている。
【発明の概要】
【発明が解決しようとする課題】
【０００６】
しかしながら、１つの供給ユニットから送り出された用紙が単一の共通供給経路を通って、各記録ユニットに直接、供給されるという構成（特許文献１）を採用すると、各記録ユニットの記録の実行が終了するまで次の用紙を共通供給経路に送れなくなる。記録ユニットが共通の供給ユニットに近い位置のものは次の用紙に対する記録実行開始が可能になった時点で前記供給ユニットから用紙の送り出しを開始しても搬送距離が短いため影響は少ない。  
しかし、供給ユニットからの距離が遠く離れるに従って用紙の搬送経路が次第に長くなる。それらの記録ユニットは、次の用紙に対して記録実行開始が可能になった時点で前記供給ユニットから用紙の送り出しを開始すると、用紙が当該記録ユニットの記録実行位置に直ぐには到達できず、しばらく待たされることになる。従って、その待ち時間の分、記録実行速度の高速化が図れない問題がある。
【０００７】
また、各記録ユニットが専用の給紙カセットを個別に備えている構成（特許文献２）では、装置全体が大型化すると共に、複数の各給紙カセットへの用紙の補充の管理を個別にしなければならず、操作性に劣る問題がある。
【０００８】
そこで、本発明に係る幾つかの態様は、並列に配設されている複数の各記録ユニットの位置までの被記録材の搬送経路の長さの違いの影響を受けず、各記録ユニットへ被記録材を迅速に供給可能な記録装置を提供するものである。
【課題を解決するための手段】
【０００９】
前記課題を解決するために本発明の第１の態様に係る記録装置は、被記録材への記録の実行が可能で、並列に配設されている複数の記録ユニットと、前記複数の記録ユニットに被記録材を個別に搬送する複数の個別搬送経路と、前記複数の個別搬送経路に複数の個別搬入経路によって接続され、供給元から送られる被記録材を搬送し且つ前記各個別搬入経路を介して前記各個別搬送経路に供給する単一の共通供給経路と、前記各個別搬入経路と前記共通供給経路との接続部位に設けられ、被記録材の搬送方向を当該個別搬入経路側と、前記共通供給経路の下流側とに切り替える分岐フラッパーと、前記各個別搬入経路の最上流位置と前記記録ユニットとの間の搬送経路上に設けられ、被記録材を搬送可能に待機させておける上流側待機領域部と、を備えていることを特徴とするものである。
【００１０】
本態様によれば、前記各個別搬入経路の最上流位置と前記記録ユニットとの間の搬送経路上に設けられ、被記録材を搬送可能に待機させておける上流側待機領域部を備えているので、各上流側待機領域部に被記録材を待機させておくことにより、並列に配設されている複数の各記録ユニットに被記録材が到達するまでの搬送経路の長さの違いの影響を受けることなく、各記録ユニットへ被記録材を迅速に供給することができる。
【００１１】
また、前記共通供給経路中を被記録材を搬送する搬送速度は、スループット向上の観点から通常高速に設定される。しかし、記録ユニットによって被記録材に記録を実行中の搬送速度は、画質劣化防止の観点からむやみに高速化することはできない。そのため、前記両者の搬送速度には大きな差が生じる。本発明の当該上流側待機領域部は、前記両者の搬送速度の差を吸収して各記録ユニットに適切に被記録材を供給することを可能にする。
【００１２】
更に、各記録ユニットにおける記録データの軽重の違いにより、各記録ユニットにおける記録終了の順番に前後が生じてずれることがあるが、当該上流側待機領域部に被記録材を待機させておくことによって前記ずれを吸収して各記録ユニットに適切に被記録材を供給することを可能にする。
【００１３】
本発明の第２の態様は、前記第１の態様の記録装置において、前記各上流側待機領域部は、被記録材を支持する支持部材と、当該支持部材上の被記録材を前記記録ユニット側に送る送り機構と、を備えていることを特徴とするものである。
【００１４】
本態様によれば、記録ユニットの上流位置の前記支持部材上に一時的に待機させた状態で保持されている被記録材を、当該送り機構を駆動させることによって記録ユニットに適切なタイミングで供給することができる。
【００１５】
本発明の第３の態様は、前記第２の態様の記録装置において、前記送り機構は、前記上流側待機領域部に供給された被記録材に当接するニップ位置と、当該被記録材から離反するレリース位置とを切り替えるピックローラーを有し、該ピックローラーは、少なくとも下流の記録ユニットで被記録材に記録が開始され、該被記録材の搬送方向の後端が当該ピックローラーを通過するまでの間は、前記レリース位置に位置するように設定されていることを特徴とするものである。
【００１６】
本態様によれば、上流側待機領域部において被記録材を一時的に待機させている状態及び下流の記録ユニットに向けて当該被記録材を搬送中である状態では、ピックローラーによって被記録材を前記支持部材との間でしっかり保持できる。そして、当該被記録材の搬送方向の始端が下流の記録ユニットにおける給送ローラーに挟持された後の被記録材の記録が開始されるタイミングでは、前記ピックローラーはレリース位置に移行している。従って、記録ユニットでの記録実行時の被記録材の搬送に前記ピックローラーが悪影響を及ぼす余計な負荷をかけることなく、円滑な被記録材の搬送が実現されて、記録実行品質の向上が図られる。
【００１７】
本発明の第４の態様は、前記第３の態様の記録装置において、前記ピックローラーの回転と、ピックローラーのニップ位置とレリース位置の切り替えと、前記分岐フラッパーによる被記録材の搬送方向の切り替えは、正逆転可能な単一の駆動モーターを駆動源とするカム機構によって実行される構成であることを特徴とするものである。
【００１８】
本態様によれば、ピックローラーの回転と、ピックローラーのニップ位置とレリース位置の切り替えと、分岐フラッパーによる被記録材の搬送方向の切り替えとの異なる３種類の動作を単一の駆動モーターを使用して実行できるようになる。従って、部品点数及び部品コストの削減に寄与し得る。
【００１９】
本発明の第５の態様は、前記第４の態様の記録装置において、前記カム機構は、前記ピックローラーのニップ位置とレリース位置とを切り替えるピックローラー動作カムと、前記分岐フラッパーを回動させて被記録材の供給経路を切り替える分岐フラッパー動作カムと、前記ピックローラー動作カムと前記分岐フラッパー動作カムとを一体に備えるカム軸と、前記駆動モーターの動力を前記カム軸に伝達する接続状態と、前記カム軸に伝達しない非接続状態とを切り替えるワンウェイクラッチと、を備えていることを特徴とするものである。
【００２０】
本態様によれば、ピックローラー動作カムと分岐フラッパー動作カムとを一体に備えるカム軸と、前記カム軸への動力の伝達状態を切り替えるワンウェイクラッチと、を具備するだけの簡単な構造によって、前記異なる３種類の動作を所定のタイミングで選択的に実行できるようになる。
【００２１】
本発明の第６の態様は、前記第５の態様の記録装置において、前記ピックローラーのニップ位置とレリース位置との切替え動作と、前記分岐フラッパーの回動による被記録材の供給経路の切替え動作は、前記駆動モーターを第１の方向に回転させた時に実行され、前記ピックローラーの回転動作は、前記駆動モーターを第２の方向に回転させた時に実行されるように構成されていることを特徴とするものである。
【００２２】
本態様によれば、駆動モーターの回転方向の切り替えのみによって、前記異なる３種類の動作を所定のタイミングで選択的に実行でき、前記異なる３種類の動作をすべて停止させる時には、単一の駆動モーターを停止させるだけで実行することができる。
【図面の簡単な説明】
【００２３】
【図１】本発明の実施例に係るインクジェット式記録装置の内部構造の概略を示す側断面図。
【図２】本発明の実施例に係る最下層の個別搬送経路を示す側断面図。
【図３】本発明の実施例に係る上流側待機領域部を示す側断面図。
【図４】本発明の実施例に係る上流側待機領域部を示す斜視図。
【図５】本発明の実施例に係る上流側待機領域部のカム軸周辺を拡大して示す斜視図。
【図６】本発明の実施例に係るカム軸の動作を示す説明図であって、ピックローラーがレリース位置、分岐フラッパーが開放位置にある時のカムとカムフラグの位置関係を示す側断面図であり、（ａ）はピックローラー動作カムの位置を示す側断面図、（ｂ）は分岐フラッパー動作カムの位置を示す側断面図、（ｃ）はピックカムフラグの位置を示す側断面図、（ｄ）はフラップカムフラグの位置を示す側断面図。
【図７】本発明の実施例に係るカム軸の動作を示す説明図であって、ピックローラーがニップ位置、分岐フラッパーが閉鎖位置にある時のカムとカムフラグの位置関係を示す側断面図であり、（ａ）はピックローラー動作カムの位置を示す側断面図、（ｂ）は分岐フラッパー動作カムの位置を示す側断面図、（ｃ）はピックカムフラグの位置を示す側断面図、（ｄ）はフラップカムフラグの位置を示す側断面図。
【図８】本発明の実施例に係るカム軸の動作を示す説明図であって、ピックローラーがレリース位置、分岐フラッパーが閉鎖位置にある時のカムとカムフラグの位置関係を示す側断面図であり、（ａ）はピックローラー動作カムの位置を示す側断面図、（ｂ）は分岐フラッパー動作カムの位置を示す側断面図、（ｃ）はピックカムフラグの位置を示す側断面図、（ｄ）はフラップカムフラグの位置を示す側断面図。
【図９】本発明の実施例に係るカム軸の動作を示すカム動作図。
【図１０】本発明の実施例に係る一つの記録ユニットに対応するピックローラーと分岐フラッパーのカムタイミングチャート。
【図１１】本発明の実施例に係る下流側待機領域部を示す斜視図。
【図１２】本発明の実施例に係る下流側待機領域部の搬送用ローラーの変速駆動伝達機構を示す斜視図。
【図１３】本発明の実施例に係る下流側待機領域部を示す側断面図。
【図１４】本発明の実施例に係る記録装置の用紙の搬送タイミングを示すダイヤグラム。
【図１５】従来の記録装置の用紙の搬送タイミングを示すダイヤグラム。
【発明を実施するための形態】
【００２４】
以下、本発明に係る記録装置の実施の形態について詳細に説明する。最初に本発明の記録装置を実施するための形態としてインクジェット式記録装置を採り上げて、該インクジェット式記録装置の概略構成を図１に基づいて説明する。  
図示のインクジェット式記録装置１は、被記録材（以下、用紙とも言う）Ｐの表裏両面への記録の実行が可能な記録ユニット３を一例として５基備えており、高速且つ大量印刷が可能である。尚、前記５基の記録ユニット３を総称したものを本明細書において記録ユニット群３００と称する。更に、被記録材Ｐには、用紙の他、ポリエステル等のフィルム材が含まれる。
【００２５】
このインクジェット式記録装置１は、筺体５の内部に用紙Ｐを搬送経路７に向けて供給する単一の供給ユニット９と、該供給ユニット９によって供給された用紙Ｐを搬送する一つの共通供給経路１１と五つの個別搬送経路１３（五つを区別するときは１３Ａ、１３Ｂ、１３Ｃ、１３Ｄ、１３Ｅと記す）と一つの共通排出経路１５とを備える前記搬送経路７とを備えている。更に、前記五つの個別搬送経路１３Ａ、１３Ｂ、１３Ｃ、１３Ｄ、１３Ｅに対して個別に設けられる５基の記録ユニット３（五つを区別するときは３Ａ、３Ｂ、３Ｃ、３Ｄ、３Ｅと記す）と、同じく５基設けられる個別反転ユニット３１（五つを区別するときは３１Ａ、３１Ｂ、３１Ｃ、３１Ｄ、３１Ｅと記す）と、前記共通排出経路１５の終端部に設けられ排出された用紙Ｐを収容する単一の収容ユニット１７と、を備えている。
【００２６】
このうち、供給ユニット９は、設置面ＧＬに近い筺体５の下部に一例として設けられており、複数枚の用紙Ｐを積畳状態でセットし得る給送カセット１９と、給送カセット１９内にセットされた用紙Ｐを最上位の用紙Ｐから順番に１枚ずつ前記搬送経路７に向けて給送する図示しない給送ローラーを含む給送機構とを備えている。  
共通供給経路１１は、前記供給ユニット９が設けられている筺体５の図１における左方下部から設置面ＧＬと離れる方向すなわち筺体５の上部に向けて、一例として設置面ＧＬと垂直な縦方向Ｚに延びている。そして、該共通供給経路１１の途中には、供給された用紙Ｐに搬送力を付与する一対のニップローラーによって構成されている、記録ユニット３での搬送速度よりも高速の送りローラー２１が適宜の数、設けられている。
【００２７】
個別搬送経路１３は、図示のように横方向Ｙに沿って図１中、一例として左から右に向けて延びている。そして、設置面ＧＬに近い最下層の個別搬送経路１３Ａから所定の間隔を隔てて設置面ＧＬと離れる縦方向Ｚに向けて、個別搬送経路１３Ｂ、１３Ｃ、１３Ｄ、１３Ｅの順で合計五つの個別搬送経路１３Ａ、１３Ｂ、１３Ｃ、１３Ｄ、１３Ｅが設けられている。  
尚、個別搬送経路１３の具体的構成と、個別搬送経路１３に対して配設されている記録ユニット３等の諸部材の構成と配置については後述する。
【００２８】
共通排出経路１５は、前記共通供給経路１１と反対側の筺体５の図１中、右方下部から設置面ＧＬと離れる方向すなわち筺体５の上部に向けて、一例として設置面ＧＬと垂直な縦方向Ｚに沿って延びている。そして、該共通排出経路１５の途中には、排出された用紙Ｐに搬送力を付与する一対のニップローラーによって構成されている、記録ユニット３での搬送速度よりも高速の送りローラー３９が適宜の数、設けられている。
【００２９】
また、共通排出経路１５の終端部には、図１中、一例として右斜め上方に向けて傾斜している案内スロープ４１が設けられている。該案内スロープ４１の終端部に臨む案内スロープ４１の下方には、排出された用紙Ｐを順番にスタックするための排出スタッカー４３によって一例として構成される収容ユニット１７が配設されている。  
この他、筺体５内には、前記各記録ユニット３Ａ、３Ｂ、３Ｃ、３Ｄ、３Ｅに各色のインクを供給する公知の単一のインク供給ユニット８９と、前記各記録ユニット３Ａ、３Ｂ、３Ｃ、３Ｄ、３Ｅから吐出され、記録の実行に使用されなかったインクを回収する公知の廃インクタンク９１と、が設けられている。
【００３０】
そして、このように構成されるインクジェット式記録装置１によって供給ユニット９にセットされた用紙Ｐは、５基の記録ユニット３Ａ、３Ｂ、３Ｃ、３Ｄ、３Ｅに順番に供給され、並行的に記録が実行されて順番に単一の収容ユニット１７に収容されて行く。  
従って、記録ユニット３自体の性能を向上させた新規の記録ユニットを開発することなく現存の技術を用いて、用紙Ｐの記録実行速度の高速化を図ることが可能になっている。
【００３１】
［実施例］
次に、図１、図２に基づいて本発明の特徴的構成である上流側待機領域４５が設けられている個別搬送経路１３の構成と、該個別搬送経路１３に対して設けられる諸部材の概略の構成と配置について具体的に説明する。  
尚、図２では一例として最下層の個別搬送経路１３Ａを図示しているが、他の個別搬送経路１３Ｂ、１３Ｃ、１３Ｄ、１３Ｅについても概略において構成は同じである。従って、最下層の個別搬送経路１３Ａを例にとって説明し、他の個別搬送経路１３Ｂ、１３Ｃ、１３Ｄ、１３Ｅの構成については、当該最下層の個別搬送経路１３Ａと相違する点について以下の説明の中でその都度言及することとする。
【００３２】
個別搬送経路１３には、用紙Ｐの被記録面にインクを吐出して記録を実行する記録ユニット３と、該記録ユニット３の上流位置に配置され、記録前の用紙Ｐを一時的に待機させて当該記録ユニット３の記録実行領域４７への用紙Ｐの供給タイミングを調整する上流側待機領域部４５（五つを区別するときは４５Ａ、４５Ｂ、４５Ｃ、４５Ｄ、４５Ｅと記す）と、が設けられている。
【００３３】
また、本実施例にあっては、前記記録ユニット３の上流側の近傍位置に用紙Ｐの表裏面のいずれか一面に記録が実行された後、当該用紙Ｐを表裏反転させて再び当該記録ユニット３の記録実行領域４７に導く個別反転ユニット３１が設けられている。この個別反転ユニット３１による反転のための領域を前記記録実行領域４７に対して反転領域４９と称す。
【００３４】
更に、本実施例にあっては、前記記録ユニット３の下流位置に設けられ、記録実行後の用紙Ｐを一時的に待機させて前記共通排出経路１５に対する用紙Ｐの排出タイミングを調整する下流側待機領域部５１（五つを区別するときは５１Ａ、５１Ｂ、５１Ｃ、５１Ｄ、５１Ｅと記す）が設けられている。この下流側待機領域部５１は、用紙Ｐの被記録面に吐出されたインクの乾燥を促すための領域としての利用ができるようになっている。
【００３５】
記録ユニット３は、各色のインクを用紙Ｐの被記録面に吐出して記録を実行する記録ヘッド５３と、該記録ヘッド５３を搭載して一例として用紙Ｐの幅方向に往復移動するキャリッジ５５と、前記記録ヘッド５３のインク吐出面と対向する位置にギャップＰＧを隔てて配設される用紙Ｐの支え部５７とを備えている。
【００３６】
また、記録実行領域４７には、前記記録ヘッド５３と支え部５７との間のギャップＰＧに向けて用紙Ｐを給送するための一対のニップローラーによって構成されている給送ローラー５９と、用紙Ｐの搬送を案内する案内部材６１と、該案内部材６１の終端位置に設けられ、用紙Ｐに搬送力を付与する一対のニップローラーによって構成されている搬送ローラー６３と、該記録実行領域４７の下流側の端部に設けられ、記録が実行された用紙Ｐを前記下流側待機領域部５１に導くための一対のニップローラーによって構成されている排出ローラー６５とが設けられている。
【００３７】
反転領域４９は、本実施例では図２、図３に示すように、前記記録実行領域４７の上流側の近傍位置に設けられている。該反転領域４９には、一例として上流側斜め上方に向けて突出した形状の個別反転ユニット３１が配設されている。  
個別反転ユニット３１は、内部にループ状の用紙Ｐの反転経路６９が形成されているハウジング７１と、前記反転経路６９と個別搬送経路１３との合流部に設けられる分岐フラッパー７３と、反転経路６９内に供給された用紙Ｐを表裏反転させるための搬送力を付与する反転ローラー７５とを備えている。
【００３８】
上流側待機領域部４５には、上流側に前記共通供給経路１１を通って送られてきた用紙Ｐを上述した５つの個別搬送経路１３Ａ、１３Ｂ、１３Ｃ、１３Ｄ、１３Ｅに各別に導くための湾曲した５つの個別搬入経路２３（五つを区別するときは２３Ａ、２３Ｂ、２３Ｃ、２３Ｄ、２３Ｅと記す）が設けられている。また、前記個別搬入経路２３の下流位置に上流側待機領域部４５に供給された用紙Ｐを支持する一例として板状の給紙台９６によって構成される支持部材９５と、当該用紙Ｐを所定のタイミングで下流の記録ユニット３に向けて供給する送り機構９７と、が設けられている。
【００３９】
ここで、個別搬入経路２３は、前記共通供給経路１１の途中４個所と終端部１個所の計５個所に設けられており、このうち共通供給経路１１の終端部に位置する最上部の個別搬入経路２３Ｅを除いた４個所の個別搬入経路２３Ａ、２３Ｂ、２３Ｃ、２３Ｄと共通供給経路１１との接続部には、一例として回動式の分岐フラッパー２５（五つを区別するときは２５Ａ、２５Ｂ、２５Ｃ、２５Ｄと記す）が設けられている。  
また、前記５つの個別搬入経路２３Ａ、２３Ｂ、２３Ｃ、２３Ｄ、２３Ｅにも上述した共通供給経路１１に対して設けられている送りローラー２１と同様、記録ユニット３での搬送速度よりも高速の送りローラー２７が設けられている。
【００４０】
前記分岐フラッパー２５は、後述するカム機構９９によって所定の角度の範囲で回動し得るように駆動される回動式のフラッパーである。  
そして、分岐フラッパー２５を共通供給経路１１側に回動させた第１の位置では、被記録材の搬送方向を個別搬入経路２３（個別搬送経路１３）側となるように経路を開放する。一方、分岐フラッパー２５を個別搬入経路２３側に回動させた第２の位置では、個別搬入経路２３側を閉鎖し、且つ共通供給経路１１側を下流に向かって送れるように開放した状態に切り替わるように設定されている。
【００４１】
図２乃至図５に示したように、前記送り機構９７は、本実施例では揺動アーム１０１の自由端において支持されているピックローラー１０３を有することによって構成されている。前記揺動アーム１０１は、付勢バネ１０７によって自由端が前記支持部材９５側に偏倚するように付勢されており、前記揺動アーム１０１の基端部には後述するピックローラー動作カム１０９に当接するカムフォロワー１１１が揺動アーム１０１と一体に接続されている。
【００４２】
そして、前記ピックローラー１０３は、前記付勢バネ１０７の付勢力に抗して揺動する揺動アーム１０１の揺動位置によって、上流側待機領域部４５に供給されて待機中の用紙Ｐに当接するニップ位置と、当該用紙Ｐから離れたレリース位置とを切り替えることができるようになっている。  
また、前記ピックローラー１０３は、少なくとも下流の記録ユニット３での記録が開始され、用紙Ｐの搬送方向の後端が前記ピックローラー１０３を通過するまでの間は、レリース位置に位置するように設定されており、記録の実行に悪影響を及ぼす不要な負荷を用紙Ｐにかけないように構成されている。
【００４３】
また、図４に示したように、前記ピックローラー１０３には、駆動モーター１１３の逆転方向（第２の方向）ＣＣＷの回転が複数のプーリーとベルトあるいはギアー輪列を介して分配軸１１５、ローラー駆動軸１１７、第１中継軸１１９、第２中継軸１２１と伝達され、最終的にピックローラー１０３を支持しているピックローラー軸１２３に伝達されることによって下流の記録ユニット３に用紙Ｐを供給する所望の回転力が得られるようになっている。  
また、前記駆動モーター１１３の逆転方向（第２の方向）ＣＣＷの回転は、上述したようにローラー駆動軸１１７に伝達されており、該ローラー駆動軸１１７に対して設けられている前記一対の送りローラー２７における駆動ローラーにも前記回転力が伝達されるようになっている。
【００４４】
そして、前記ピックローラー１０３の回転と、ピックローラー１０３のニップ位置とレリース位置の切り替えと、前記分岐フラッパー２５による用紙Ｐの搬送方向の切り替えは、正逆転可能な単一の上述した駆動モーター１１３を駆動源とするカム機構９９を使用して実行されている。  
図４、図５に示したように、カム機構９９は、前記ピックローラー１０３のニップ位置とレリース位置とを切り替えるピックローラー動作カム１０９と、該ピックローラー動作カム１０９に当接するカムフォロワー１１１と、前記分岐フラッパー２５を回動させて用紙Ｐの供給経路を切り替える分岐フラッパー動作カム１２５と、該分岐フラッパー動作カム１２５に当接するカムフォロワー１２７と、前記ピックローラー動作カム１０９と前記分岐フラッパー動作カム１２５を一体に備えるカム軸１２９と、前記駆動モーター１１３の動力を前記カム軸１２９に伝達する接続状態と、前記カム軸１２９に伝達しない非接続状態とを切り替えるワンウェイクラッチ１３１と、を具備している。
【００４５】
また、図５に示したように、本実施例にあっては、前記カム軸１２９には前記ピックローラー動作カム１０９の回転位置を検出するためのピックカムタイミングフラグ１３３と、前記分岐フラッパー動作カム１２５の回転位置を検出するためのフラップカムタイミングフラグ１３５が設けられている。そして、前記２枚のタイミングフラグ１３３、１３５の近傍には、これらのタイミングフラグ１３３、１３５の位置を電気信号として出力するための２つのタイミングフラグセンサー１３７、１３９がそれぞれ設けられている。
【００４６】
そして、前記カム軸１２９には、上述した駆動モーター１１３の回転が複数のプーリー及びベルトと上述したワンウェイクラッチ１３１を介して上述した分配軸１１５を中継して伝達されている。  
具体的には、前記駆動モーター１１３を正転方向（第１の方向）ＣＷに回転させると、駆動モーター１１３の回転は、分配軸１１５とワンウェイクラッチ１３１を介してカム軸１２９に伝達され、カム軸１２９を所定の方向（本実施例では駆動モーター１１３の回転方向と同じ正転方向）に回転させる。
【００４７】
一方、前記駆動モーター１１３を逆転方向（第２の方向）ＣＣＷに回転させると、前記ワンウェイクラッチ１３１が非接続状態になるため、駆動モーター１１３の回転はカム軸１２９に伝達されないようになっている。  
また、前記駆動モーター１１３を停止させた時は、当然、前記ピックローラー１０３の回転と、前記ピックローラー１０３のニップ位置とレリース位置の切り替えと、分岐フラッパー２５の回動による用紙Ｐの搬送方向の切り替えの３つの動作はすべて停止される。
【００４８】
これに伴ない、ピックローラー動作カム１０９、分岐フラッパー動作カム１２５、ピックカムタイミングフラグ１３３及びフラップカムタイミングフラグ１３５のそれぞれの位置は、ピックローラー１０３がレリース位置、分岐フラッパー２５が開放位置（上述した第１の位置）にある時には、図６に示す位置になる。  
同様に、前記２枚のカム１０９、１２５と前記２枚のタイミングフラグ１３３、１３５のそれぞれの位置は、ピックローラー１０３がニップ位置、分岐フラッパー２５が閉鎖位置（上述した第２の位置）にある時には、図７の位置になる。  
ピックローラー１０３がレリース位置、分岐フラッパー２５が閉鎖位置（上述した第２の位置）にある時には、図８の位置になる。
【００４９】
また、図２に示すように、供給ユニット９と接続される共通供給経路１１の始端部には、供給ユニット９から供給される用紙Ｐを順番にカウントするピックセンサー１４１が設けられており、給紙台９６の上流端には、上流側待機領域部４５での用紙Ｐの位置を検出するための第１給紙台センサー１４３が設けられ、給紙台９６の下流端には同じく上流側待機領域部４５での用紙Ｐの位置を検出するための第２給紙台センサー１４５が設けられている。
【００５０】
そして、これらの３種類のセンサー１４１、１４３、１４５によって検出された情報と、図示しないＰＦセンサーによって検出された記録ユニット３での用紙の位置情報とが図示しない制御部に送られる。そして、最適なタイミングで迅速に共通供給経路１１から上流側待機領域部４５への用紙Ｐの供給と、上流側待機領域部４５から記録ユニット３側へ向けての用紙Ｐの供給がそれぞれ実行されるように構成されている。
【００５１】
図１１〜図１３に示すように、下流側待機領域部５１は、前記記録実行領域４７の排出ローラー６５の下流位置に設けられている。そして、排出ローラー６５によって記録実行領域４７から排出された用紙Ｐを支持する待機トレイ７９と、前記待機トレイ７９の下流位置から前記共通排出経路１５との接続部にかけて設けられている滑らかに湾曲している搬出経路３３（五つを区別するときは３３Ａ、３３Ｂ、３３Ｃ、３３Ｄと記す）と、前記待機トレイ７９の下流位置１個所と、前記搬出経路３３の始端部２個所に設けられている複数の搬送用ローラー８１、８３、３５とを備えている。
【００５２】
また、下流側待機領域部５１に供給された用紙Ｐは、下流側待機領域部５１の中間部において前記待機トレイ７９によって支持されると共に、搬送方向の前端部において前記複数の搬送用ローラー８１、８３、３５によってニップされた状態で保持されるようになっている。  
そして、用紙Ｐが待機トレイ７９上で一時待機中、前記複数の搬送用ローラー８１、８３、３５によって用紙Ｐの姿勢が保持されるので、インクで濡れた用紙Ｐのカールの発生が防止される。
【００５３】
前記搬送用ローラー８１は、待機トレイ７９の下流位置に設けられる前記記録ユニット３における排出ローラー６５と同様の構造、搬送速度を有する低速のローラーである。  
また、前記搬送用ローラー８３は、搬出経路３３の始端部のうち上流側に設けられる前記記録ユニット３での搬送速度と同程度の速度の低速のローラーである。
【００５４】
また、前記搬送用ローラー３５は、搬出経路３３の始端部のうち下流側に設けられる前記共通排出経路１５の送りローラー３９と同様、前記記録ユニット３での搬送速度よりも高速のローラーである。
【００５５】
そして、これらの３種類の搬送用ローラー８１、８３、３５には、次に説明する複数のプーリー及びベルトと、１つの電磁クラッチ１４９と、２個のワンウェイクラッチ１６３、１６７とを備える変速駆動伝達機構１５５を介して上述した低速ないし高速の２種類の回転が伝達される。  
図１２に示すように、変速駆動伝達機構１５５は、駆動モーター１５７と、該駆動モーター１５７の出力軸の回転が最初に伝達される切替え軸１５９と、該切替え軸１５９に対して設けられている電磁クラッチ１４９と、該電磁クラッチ１４９の接続状態を第１の側（低速ローラー側）に切り替えることによって接続される第２低速ローラー軸１６１と、該第２低速ローラー軸１６１に対して設けられている第２ワンウェイクラッチ１６３と、前記第２低速ローラー軸１６１から動力が伝達される第１低速ローラー軸１６５と、該第１低速ローラー軸１６５に対して設けられている第１ワンウェイクラッチ１６７と、前記電磁クラッチ１４９の接続状態を第２の側（高速ローラー側）に切り替えることによって接続される高速ローラー軸１６９と、これらの各ローラー軸１６１、１６５、１６９と前記駆動モーター１５７の出力軸との間に配設されている複数のプーリー及びベルトと、を具備することによって構成されている。
【００５６】
また、図２に示すように、搬出経路３３における前記第２低速搬送用ローラー８３の上流位置と、高速搬送用ローラー３５の下流位置と、前記共通排出経路１５の２対ずつ設けられている送りローラー３９、３９の中間位置には、下流側待機領域部５１から排出される用紙Ｐの搬送位置を検出する３種類の位置センサー１７１、１７３、１７５が５組ずつ設けられている。  
そして、これら３種類の位置センサー１７１、１７３、１７５によって検出された用紙Ｐの位置情報が図示しない制御部に送られることによって、用紙Ｐの各ページの記録データボリューム等に差があった場合でも、収容ユニット１７には常にページ順に用紙Ｐが排出されるように下流側待機領域部５１での待機時間の調整が図られている。
【００５７】
尚、前記五つある個別搬送経路１３Ａ、１３Ｂ、１３Ｃ、１３Ｄ、１３Ｅに設けられている五つの上流側待機領域部４５Ａ、４５Ｂ、４５Ｃ、４５Ｄ、４５Ｅを総称したものを本明細書において記録前待機エリア４００として称し、同じく五つの下流側待機領域部５１Ａ、５１Ｂ、５１Ｃ、５１Ｄ、５１Ｅを総称したものを本明細書において記録後待機エリア５００と称す。
【００５８】
次に、このようにして構成される本実施例に係る記録装置１の各個別搬送経路１３での作動態様を、（１）記録前待機時と、（２）記録実行時と、（３）記録後待機時とに分けて説明する。
（１）記録前待機時
供給ユニット９から一例として６０８ｍｍ／ｓ程度の低速で送られた用紙Ｐが共通供給経路１１に供給されると、共通供給経路１に配設されている送りローラー２１によって加速されて一例として１３００ｍｍ／ｓ程度の高速で縦方向Ｚの上方に向けて搬送されるようになる。
【００５９】
そして、図６に示すように、上流側待機領域部４５に用紙Ｐが存在していない個別搬送経路１３では、ピックローラー１０３はレリース位置、分岐フラッパー２５は開放し、用紙Ｐの供給を受け入れる第１の位置になっている。従って、用紙Ｐは、共通供給経路１１から当該個別搬送経路１３に進入し、個別搬入経路２３の送りローラー２７からの送り力を得て上流側待機領域部４５の給紙台９６によって支持された位置に送られて待機状態に移行する。
【００６０】
次に、図９、図１０に示すように、駆動モーター１１３が正転方向（第１の方向）ＣＷに回転を始めると、ピックローラー１０３はニップ方向に徐々に移動を開始し、分岐フラッパー２５は個別搬送経路３を閉鎖する方向に徐々に回動するようになる。  
そして、カム軸１２９が図９中、１１０°付近の位置まで回転すると、図７及び図９に示すように、ピックローラー１０３はニップ位置、分岐フラッパー２５は個別搬送経路１３を閉鎖する第２の位置に移行する。
【００６１】
続いて、記録ユニット３の図示しないＰＦセンサーによって記録の実行に伴なう用紙Ｐの搬送が確認されていなければ、駆動モーター１１３が、図１０に示すように、逆転方向（第２の方向）ＣＣＷに回転し、ワンウェイクラッチ１３１が非接続状態になってカム軸１２９への動力伝達を遮断するため、前記ピックローラー１０３と分岐フラッパー２５の位置はそのままで、ピックローラー１０３が搬送方向に回転を始めるようになる。  
これに伴ない、上流側待機領域部４５で一時待機していた用紙Ｐは、前記ピックローラー１０３と給紙台９６との挟圧送り作用によって下流の記録ユニット３に向けて供給されるようになる。
【００６２】
図１０に示すように、用紙Ｐの後端が第１給紙台センサー１４３から外れ、用紙Ｐの前端が記録ユニット３の図示しないＰＦセンサーに掛かった後のタイミングで、駆動モーター１１３は再び正転方向（第１の方向）ＣＷに回転するようになる。そして、図９に示すように、ピックローラー１０３はレリース方向に徐々に移動を開始するが、分岐フラッパー２５は依然、個別搬送経路１３を閉鎖する第２の位置に留まっている。
【００６３】
尚、図１０において、ピックセンサーのタイミングチャートから理解できるように、最初の山は最下段の記録ユニット３Ａで記録が行われる用紙Ｐの通過を示しており、２番目の山はその一段上に位置する記録ユニット３Ｂ用の用紙の通過を示している。以下、３番目、４番目、５番目の各山は、記録ユニット３Ｃ，３Ｄ，３Ｅの用紙の通過を示している。そして、６番目の山は再び記録ユニット３Ａ用の用紙の通過を示している。以下、同様の繰り返しである。
【００６４】
そして、カム軸１２９が、図９中、２４０°付近の位置まで回転すると、図８及び図９に示すように、ピックローラー１０３はレリース位置となり、用紙Ｐの搬送に負荷を与えない状態になり、分岐フラッパー２５は引き続き個別搬送経路１３を閉鎖する第２の位置に留まっている。  
また、ここで駆動モーター１１３の回転は、図１０に示すように、一旦停止され、ピックローラー３の回転と、カム軸１２９の回転は停止される。
【００６５】
（２）記録実行時
記録実行領域４７に受け渡された用紙Ｐは、記録ユニット３の給送ローラー５９の挟圧送り作用と、案内部材６１による案内作用とによって記録ヘッド５３と支え部５７との間のギャップＰＧに向けて給送される。  
そして、用紙Ｐの被記録面の始端が記録ヘッド５３下方のインク吐出位置に至ると、支え部５７によって記録ヘッド５３との間の所定のギャップＰＧが維持された状態でキャリッジ５５によって往復移動される記録ヘッド５３のインク吐出面からインクが吐出され、用紙Ｐの被記録面への記録が実行される。
【００６６】
尚、記録実行領域４７での用紙Ｐの搬送は、搬送ローラー６３と排出ローラー６５によって行われ、排出ローラー６５によって記録実行領域４７から排出された用紙Ｐは、下流側待機領域部５１に送られる。  
また、用紙Ｐの表裏両面に記録を実行する場合には、前記下流側待機領域部５１から再び記録実行領域４７に用紙Ｐを戻し、反転領域４９で用紙Ｐを反転させた後、前記と同様の手順で残りの一面の記録を実行する。
【００６７】
一方、駆動モーター１１３は、所定時間停止後、図１０に示すように、正転方向（第１の方向）ＣＷに回転するようになり、カム軸１２９を回転させる。これに伴ない、図９に示すように、ピックローラー１０３は依然としてレリース位置を維持しているが、分岐フラッパー２５が個別搬送経路１３を閉鎖していた第２の位置から個別搬送経路１３を開放する方向に回転するようになる。そして、図９中、３６０°付近の位置でピックローラー１０３がレリース位置、分岐フラッパー２５が個別搬送経路１３を開放する第１の位置に存する図６の当初の状態に戻る。
【００６８】
（３）記録後待機時
記録実行領域４７から排出された用紙Ｐは、下流側待機領域部５１に送られ、待機トレイ７９と３種類の搬送用ローラー８１、８３、３５によって保持された状態で待機状態に置かれる。
【００６９】
尚、記録実行領域４７からの用紙Ｐの受け入れ時は、電磁クラッチ１４９がＯＮ状態になっており、第１低速搬送用ローラー８１及び第２低速搬送用ローラー８３の搬送速度は、記録ユニット３の排出ローラー６５の搬送速度と同期した低速で運転されている。
【００７０】
また、用紙Ｐが下流側待機領域部５１に到達すると、前記第１低速搬送用ローラー８１と第２低速搬送用ローラー８３は、それぞれのローラー軸１６５、１６１に取り付けられている第１ワンウェイクラッチ１６７と第２ワンウェイクラッチ１６３の作用で、記録実行品質に悪影響を及ぼす用紙Ｐのダメージを防止する。  
その後、電磁クラッチ１４９がＯＦＦ状態となり、用紙Ｐは下流側待機領域部５１で共通排出経路１５への排出の順番を待つこととなる。
【００７１】
位置センサー１７１、１７３、１７５によって検出された位置情報から制御部が排出の命令を出すと、前記電磁クラッチ１４９は再びＯＮ状態となり、高速搬送用ローラー３５を一例として１４００ｍｍ／ｓ程度の高速で回転させ、共通排出経路１５に受け渡す。  
そして、前記下流側待機領域部５１を設けた本実施例の記録装置１にあっては、各ページの記録データボリュームに差がある場合でも、各個別搬送経路１３での記録後待機時間を調整することで最適なタイミングで用紙Ｐを共通排出経路１５に供給できるため、収容ユニット１７上の用紙Ｐはページ順に排出された状態になる。
【００７２】
このように本実施例の記録装置１によれば、各記録ユニット３Ａ、３Ｂ、３Ｃ、３Ｄ、３Ｅへの効率良く迅速な用紙Ｐの供給が、単一の駆動モーター１１３とカム機構９９等を使用した簡単な構造で実現でき、更に記録実行後の用紙Ｐの排出も、単一の駆動モーター１５７と電磁クラッチ１４９等を使用した簡単な構造でページ順を乱すことなく迅速に実現できるようになる。
【００７３】
そして、前記上流側待機領域部４５と前記下流側待機領域部を設けたことによって、２順目（６枚目〜１０枚目）以降の用紙Ｐの搬送開始タイミングが、図１５に示す従来の場合に比べて、図１４に示す本実施例の場合には２秒程度速くなり、多数枚の用紙Ｐに記録を実行する場合の記録実行速度が大幅に高速化される。
【００７４】
〔他の実施例〕
本発明に係る記録装置は、以上述べたような構成を基本とするものであるが、本願発明の要旨を逸脱しない範囲内の部分的構成の変更や省略等を行うことも勿論可能である。  
例えば、記録ユニット３の基数は、５基に限らず、２基、３基、４基でもよいし、６基以上設けることも可能である。これに伴なって、個別搬送経路１３、上流側待機領域部４５、下流側待機領域部５１の個数や個別反転ユニット３１の基数も適宜、増減することが可能である。
【００７５】
また、両面印刷非対応の記録ユニット３を採用することも可能であり、その場合には前記実施例において設けた反転領域４９を省略することが可能である。  
また、上流側待機領域部４５において設けた支持部材９５は、前記実施例において設けた給紙台９６に代えて用紙Ｐの下面（被搬送面）を支持する図示しない支持ローラーによって構成することが可能である。そして、この場合には、一部の支持ローラーをピックローラー１０３とニップする位置に設けてピックローラー１０３と当該支持ローラーとの挟持送り作用で記録実行領域４７に向けて用紙Ｐを供給できるように構成する。  
この他、送り機構９７の構成部材であるピックローラー１０３に代えて、側面視形状がＤ字形（ローラー周面の一部がカットされた形状）のローラーによって構成することも可能である。また、記録装置１は、インクジェット式記録装置に限らず、レーザープリンターやファクシミリ、複写機等であってもよい。
【符号の説明】
【００７６】
１  インクジェット式記録装置（記録装置）   ３  記録ユニット
５  筺体                                   ７  搬送経路
９  供給ユニット                           １１  共通供給経路
１３  個別搬送経路                         １５  共通排出経路
１７  収容ユニット                         １９  給送カセット
２１  送りローラー                         ２３  個別搬入経路
２５  分岐フラッパー                       ２７  送りローラー
３１  個別反転ユニット                     ３３  搬出経路 
３５  高速搬送用ローラー                   ３９  送りローラー
４１  案内スロープ                         ４３  排出スタッカー
４５  上流側待機領域部                     ４７  記録実行領域
４９  反転ゾーン                           ５１  下流側待機領域部
５３  記録ヘッド                           ５５  キャリッジ
５７  プラテン                             ５９  給送ローラー
６１  案内部材                             ６３  搬送ローラー
６５  排出ローラー                         ６９  反転経路 
７１  ハウジング                           ７３  分岐フラッパー
７５  反転ローラー                         ７９  待機トレイ
８１  第１低速搬送用ローラー               ８３  第２低速搬送用ローラー
８９  インク供給ユニット                   ９１  廃インクタンク
９５  支持部材                             ９６  給紙台
９７  送り機構                             ９９  カム機構
１０１  揺動アーム                         １０３  ピックローラー
１０７  付勢バネ                           １０９  ピックローラー動作カム
１１１  カムフォロワー                     １１３  駆動モーター
１１５  分配軸                             １１７  ローラー駆動軸
１１９  第１中継軸                         １２１  第２中継軸
１２３  ピックローラー軸                   １２５  分岐フラッパー動作カム
１２７  カムフォロワー                     １２９  カム軸
１３１  ワンウェイクラッチ                 １３３  ピックカムタイミングフラグ
１３５  フラップカムタイミングフラグ       １３７  タイミングフラグセンサー
１３９  タイミングフラグセンサー           １４１  ピックセンサー
１４３  第１給紙台センサー                 １４５  第２給紙台センサー
１４９  電磁クラッチ                       １５５  変速駆動伝達機構
１５７  駆動モーター                       １５９  切替え軸
１６１  第２低速ローラー軸                 １６３  第２ワンウェイクラッチ
１６５  第１低速ローラー軸                 １６７  第１ワンウェイクラッチ
１６９  高速ローラー軸                     １７１  位置センサー
１７３  位置センサー                       １７５  位置センサー
３００  記録ユニット群                     ４００  記録前待機エリア
５００  記録後待機エリア                   Ｐ  用紙（被記録材）
ＧＬ  設置面                               Ｚ  縦方向
Ｙ  横方向                                 ＰＧ  ギャップ
ＣＷ  正転方向（第１方向）                 ＣＣＷ  逆転方向（第２の方向）
【先行技術文献】
【特許文献】
【００７７】
【特許文献１】特開２００２−１０３７４９号公報
【特許文献２】特開平８−２１１６７３号公報
【図１】
2011032065.tif 000003
【図２】
2011032065.tif 000004
【図３】
2011032065.tif 000005
【図４】
2011032065.tif 000006
【図５】
2011032065.tif 000007
【図６】
2011032065.tif 000008
【図７】
2011032065.tif 000009
【図８】
2011032065.tif 000010
【図９】
2011032065.tif 000011
【図１０】
2011032065.tif 000012
【図１１】
2011032065.tif 000013
【図１２】
2011032065.tif 000014
【図１３】
2011032065.tif 000015
【図１４】
2011032065.tif 000016
【図１５】
2011032065.tif 000017